(57)【要約】  【課題】  容易な構成で、アンテナ特性やＳＡＲ特性を安定化することが可能な開閉式無線通信装置を提供すること。  【解決手段】  筐体を閉じた状態において、第１の回路基板５および第２の回路基板６に形成されたグランド同士を接続するための突起状の接続部９ａ、９ｂを設ける。これにより、アンテナ部７が電磁波を受信することによって生じる高周波電流は、双方の回路基板５，６に同一方向に、かつ均等にバランスよく流れることができる。したがって、高周波電流の分布を安定化することができる。【選択図】  図３
2005192055.tif 000002
【特許請求の範囲】
【請求項１】
上側筐体の一端側と下側筐体の一端側とが連結部により開閉自在に連結された開閉式無線通信装置であって、
前記上側筐体の内部に設置された第１の回路基板と、
前記下側筐体の内部に設置され、前記第１の回路基板と前記連結部を介して接続された第２の回路基板と、
前記上側筐体および前記下側筐体が閉じられた状態にあるときに、前記上側筐体および前記下側筐体の各々における、前記一端側と反対側の他端側に設けられ、前記第１の回路基板および前記第２の回路基板のグランドを電気的に接続するための接続部と、
を備える開閉式無線通信装置。
【請求項２】
請求項１記載の無線通信装置であって、
前記接続部は、導電性材料で形成されると共に、前記上側筐体および前記下側筐体が閉じられた状態において、前記筐体の各々に設けられた前記接続部同士が接触する開閉式無線通信装置。
【請求項３】
請求項１記載の開閉式無線通信装置であって、
前記接続部は、導電性材料で形成されると共に、前記上側筐体および前記下側筐体が閉じられた状態において、前記筐体の各々に設けられた前記接続部同士が、電磁結合または電界結合する開閉式無線通信装置。
【発明の詳細な説明】
【技術分野】
【０００１】
本発明は、開閉式無線通信装置に関する。
【背景技術】
【０００２】
携帯電話機に代表される、無線通信装置を外形で分類すると、筐体が変形タイプ（棒状式など）と、上下の筐体が開閉するタイプ（開閉式）に大別できる。
【０００３】
開閉式の携帯電話機等としては、折り畳み式の他、回動式、スライド式等の種類があるが、いずれも、閉状態において上下の筐体が重なり、開状態において、その重なりが解除される点で共通する。
【０００４】
このような開閉式の装置は、筐体の開閉に伴い筐体長が変化する。この筐体長の変化が、移動体通信装置のアンテナ特性に影響を与えることが知られている（例えば、特許文献１参照）。
【０００５】
特許文献１では、筐体の開閉状況を検出し、筐体長の変化を考慮しつつアンテナ整合回路の特性を切り替え、これによって、アンテナ特性が、筐体長の変化に左右されないようにしている。
【特許文献１】特開２００１−３３９４７４号公報
【発明の開示】
【発明が解決しようとする課題】
【０００６】
しかしながら、上述のように、開閉状況を検出してアンテナ特性を切り替える方法を実現しようとすると、システムが複雑化するといった事情があった。
【０００７】
多機能、薄型、軽量化を目的とする近年の携帯端末等の無線通信装置の開発においては、余分な回路の付加は機器の大型化を招いたり、また、実装時のレイアウト上の不都合が生じる場合もあり得る。また、部品点数増加によるコストアップが問題となることもあり得る。
【０００８】
また、上述の従来技術では、筐体の開閉に伴う筐体長の変化のみが問題とされているが、近年、携帯電話端末等から放射される電磁波が人体に与える影響を考慮した世界的な基準（ＳＡＲに関する基準）が設けられており、この観点からの考察、対策も重要である。ここで、ＳＡＲ（Specific Absorption Rate：比吸収率）は、単位質量の生体組織に単位時間内に吸収される電気的なエネルギー量で定義される。
【０００９】
本発明は、上記の事情を鑑みてなされたものであって、容易な構成で、アンテナ特性やＳＡＲ特性を安定化することが可能な開閉式無線通信装置を提供することを目的とする。
【課題を解決するための手段】
【００１０】
本発明の開閉式無線通信装置は、上側筐体の一端側と下側筐体の一端側とが連結部により開閉自在に連結された開閉式無線通信装置であって、
前記上側筐体の内部に設置された第１の回路基板と、
前記下側筐体の内部に設置され、前記第１の回路基板と前記連結部を介して接続された第２の回路基板と、
前記上側筐体および前記下側筐体が閉じられた状態にあるときに、前記上側筐体および前記下側筐体の各々における、前記一端側と反対側の他端側に設けられ、前記第１の回路基板および前記第２の回路基板のグランドを電気的に接続するための接続部と、
を備える。
【００１１】
この構成により、筐体を閉じた状態において、第１の回路基板および第２の回路基板のグランドが接続部を介しても接続され、これにより、実質的にグランドの閉ループが構成される。したがって、双方の回路基板に同一方向に、かつ均等にバランスよく流れることができる。電流の向きが常に一致することにより、発生する磁界の向きも揃い、電流の相殺が生じず、高周波電流の分布を安定化することができる。したがって、開状態と閉状態とで、アンテナ特性が大きく異なるという事態が生じず、閉状態におけるアンテナ特性が向上する。また、閉状態における、第１の回路基板および第２の回路基板に流れる高周波電流の分布が均一化されることにより、ＳＡＲ特性も向上する。また、本構成は、特別な回路を設ける必要がないため、携帯電話機等の簡素化、小型化ならびにコスト上昇の抑制に寄与する。
【００１２】
また、本発明の開閉式無線通信装置は、前記接続部は、導電性材料で形成されると共に、前記上側筐体および前記下側筐体が閉じられた状態において、前記筐体の各々に設けられた前記接続部同士が接触する。
【００１３】
この構成により、例えば、導電性材料からなる突起を各筐体に設けることで、接続部を簡単に形成することができ、また、構成が簡易であるため、レイアウト設計の複雑化を招くこともない。
【００１４】
また、本発明の開閉式無線通信装置は、前記接続部は、導電性材料で形成されると共に、前記上側筐体および前記下側筐体が閉じられた状態において、前記筐体の各々に設けられた前記接続部同士が、電磁結合または電界結合する。
【００１５】
この構成により、物理的な接触ではなく、電磁結合や電界結合により両回路基板間の電気的な接続をとるため、つまり、接続部を各筐体に埋設して設けることができ、筐体の設計上、有利である。
【発明の効果】
【００１６】
本発明によれば、容易な構成で、アンテナ特性やＳＡＲ特性を安定化することが可能な開閉式無線通信装置を提供することができる。
【発明を実施するための最良の形態】
【００１７】
本発明の実施形態について説明する前に、まず、一般的な折り畳み式の携帯電話機を例にとって、開状態時および閉状態時の回路基板を流れる電流の向きと、その電流分布について考察する。
【００１８】
図１１は、一般的な折り畳み式の携帯電話機の外観を示す斜視図である。図１１に示すように、折り畳み式の携帯電話機１は、上側筐体２と下側筐体３および上側筐体２と下側筐体３を連結する回転軸部４を備え、アンテナ部７は、上側筐体２の上端部（回転軸部４とは反対側の端部）の隅において固定されている。
【００１９】
上側筐体２には、液晶ディスプレイ等の表示部１０が設けられている。また、レシーバ１２は、上側筐体２の上端部の中央に設けられている。また、マイク１３は、下側筐体３の下端部（回転軸部４とは反対側の端部）の中央に設けられている。
【００２０】
図１２は、図１１の折り畳み式の携帯電話機の開状態における、Ａ−Ａ’線に沿う断面図である。同様に、図１３は、図１１の折り畳み式の携帯電話機の閉状態における、Ａ−Ａ’線に沿う断面図である。
【００２１】
上側筐体２の内部には、第１の回路基板５が設置されており、下側筐体３の内部には、第２の回路基板６が設けられている。そして、回転軸部４の内部には、フレキシブルプリント基板８が設けられ、第１の回路基板５の一端と、第２の回路基板６の一端とを接続している。
【００２２】
アンテナ７に高周波電流が流れるのに伴い、グランドとして機能する第１の回路基板５と第二の回路基板６にも高周波電流Ｉ１が流れる。図１２に示されるように、上側筐体２、下側筐体３を開いた状態では、高周波電流Ｉ１の電流ベクトルは同一の方向を向いている。一方、図１３に示されるように、上側筐体２、下側筐体３を閉じた状態では、上側筐体２を流れる高周波電流Ｉ１の電流ベクトルの向きは、下側筐体３を流れる高周波電流Ｉ１の電流ベクトルの向きと逆になる。
【００２３】
したがって、閉状態において対向する第１の回路基板５と第二の回路基板６とに流れる電流により生じる磁界の向きが異なるため、一方の回路基板に生じる磁界によって他方の回路基板に誘起される電流（誘導電流）が、本来の高周波電流Ｉ１を打ち消すように作用し、結果的に、電流が相殺されてしまう。
【００２４】
一般にアンテナ特性は、基板長および基板の形状の影響を大きく受けるため、開状態と閉状態とでは、基板長および基板の形状が変化するため、アンテナ特性が大きく変化する。さらに、閉状態において、上述の電流の相殺によりアンテナ特性に大きな影響を及ぼし、この結果、所定の周波数の電磁波を送受信することが困難になってしまう。
【００２５】
図１４は、折り畳み式携帯電話機の開状態における電流分布を示す図である。また、図１５は、折り畳み式携帯電話機の閉状態における電流分布を示す図である。
【００２６】
図１４に示すように、開状態において、第１および第２の回路基板５，６の左の端部（アンテナ７に連なる部分）および右の端部に、縦長の、電流集中が激しい帯状の領域ができている。
【００２７】
一方、図１５に示すように、閉状態では、回路基板５のアンテナ７に連なる部分（左の端部）に電流が集中する部分が見られるものの、この部分を除いては、フレキシブルプリント基板８付近（図１１の回転軸部（連結部）４付近）に、電流が集中しており、第１および第２の回路基板５、６の上半分のほとんどは、電流があまり流れない領域となっている。この電流があまり流れない領域は、図中の白い空白の領域であり、上述の電流ベクトルの向きが逆であることによる、電流相殺の結果として生じると考えられる。
【００２８】
このことからも、開状態と閉状態とで、アンテナ特性が変化してしまうことがわかる。さらに、このような電流分布の極端な変動は、開状態と閉状態とでＳＡＲ特性に大きな変化をもたらすこととなる。
【００２９】
以上の検討結果に基づき、本発明の実施形態では、第１の回路基板５と第２の回路基板６とに形成されたグランドを電気的に接続する接続部を設け、各回路基板に高周波電流が、同方向にかつ均等に流れるようにする。
【００３０】
閉状態における電流分布が安定化されることにより、アンテナ特性が改善され、したがって、特別な回路を設けずに実用上の対策が実現できたことになる。また電流分布が均一化されることで、閉状態におけるＳＡＲ特性も改善される。
【００３１】
（第１の実施形態）
図１は、本発明の実施形態にかかる折り畳み式の携帯電話機（携帯通信機）の外観を示す斜視図である。図１において、先に説明した図１１と同一の部分には、説明の便宜上、同一の符号を付してある。
【００３２】
図１に示す折り畳み式の携帯電話機１は、上側筐体２と下側筐体３および上側筐体２と下側筐体３を接続する回転軸部（連結部）４で構成され、アンテナ部７は、上側筐体２の上端部（回転軸部４とは反対側の端部）の隅において固定されている。
【００３３】
上側筐体２には、液晶ディスプレイ等の表示部１０が設けられている。また、レシーバ１２は、上側筐体２の上端部のほぼ中央に設けられている。また、マイク１３は、下側筐体３の下端部（回転軸部４とは反対側の端部）のほぼ中央に設けられている。
【００３４】
そして、上側筐体２の、レシーバ１２の横に、導電性の突起からなる接続部９ａが設けられている。同様に、下側筐体３の、スピーカ１３の横に、導電性の突起からなる接続部９ｂが設けられている。
【００３５】
図２は、図１に示される携帯電話機の、閉状態における断面図である。
【００３６】
図２に示されるように、上側筐体２および下側筐体３は、所定の厚みを有するほぼ直方体状の箱体で形成され、上側筐体２および下側筐体３の平面長手方向の一端よりに形成された回転軸部４が、上側筐体２と下側筐体３を、回動自在に連結する。
【００３７】
それぞれ上側筐体２および下部筐体３の内部に設けられた第１の回路基板５および第２の回路基板６は、ほぼ直方体状の平面で形成されている。フレキシブルプリント基板８は、回転軸部４の内部において、第１の回路基板５および第２の回路基板６のそれぞれ平面長手方向の一端よりに形成され、第１の回路基板５と第２の回路基板６とを接続する。
【００３８】
アンテナ部７は、所定の周波数の電磁波を送受信するアンテナ導体パターンを有し、第２の回路基板６上の平面長手方向の回転軸部４の他方の一端よりの所定の位置で電気的に接続される。
【００３９】
接続部９ａ、９ｂは、第１の回路基板５および第２の回路基板６のそれぞれ平面長手方向の回転軸部４の他方の一端よりに形成され、上側筐体２および下側筐体３を折り畳んだ際、接続部９ａおよび接続部９ｂ同士が接触するようになっている。
【００４０】
ここで、接続部９ａおよび接続部９ｂは導電性材料で形成され、第１の回路基板５および第２の回路基板６にそれぞれ形成されたグランド（ＧＮＤ）と電気的に結合するよう構成されている。
【００４１】
以上のように構成された携帯電話機１では、閉状態において接続部９ａと接続部９ｂが接触し、これにより、第１および第２の回路基板５、６のそれぞれに形成されたグランドが高周波結合される。
【００４２】
このとき、図３に示されるように、第１の回路基板５、フレキシブルプリント基板８、第２の回路基板６、接続部９ｂ、および接続部９ａにより構成される閉ループ構造が形成される。そして、接続部９ａ、９ｂが接続されたことにより、第１の回路基板５の回転軸部４と反対側の一端側に形成されたアンテナ７の給電点（図示せず）に向かって、第１の回路基板５と第２の回路基板６の他端側（回転軸部側）から同方向に、ほぼ同一の条件でそれぞれ均等に高周波電流が流れる。
【００４３】
この結果、図３に示すように、第１の回路基板５および第２の回路基板６に流れる高周波電流Ｉ１の電流ベクトルの向きを同一方向に揃えることができる。これにより、電流の相殺（図１３、図１５を参照）が発生しないため、電流分布が、各回路基板５、６の全体に渡って均一化され、アンテナ特性の改善につながるとともに、ＳＡＲ特性も改善される。
【００４４】
つまり、本実施形態の構造によれば、従来、回転軸部（連結部）４付近に集中していた高周波電流（図１５参照）を、各回路基板５，６の全体に拡散することができ、その結果、アンテナ特性の改善と共に、ＳＡＲ特性も改善することができる。
【００４５】
図４は、本実施形態にかかる携帯電話機の、閉状態における、上側筐体および下側筐体における高周波電流の分布を示す図である。図４に示すように、高周波電流が、第１および第２の回路基板５，６の全面に均等に拡散されていることがわかる。
【００４６】
これにより、局所的な電流集中がなくなるため、アンテナ特性の改善と共に、ＳＡＲ特性も改善される。
【００４７】
図５は、本実施の形態にかかる折り畳み式の携帯電話機の変形例（アンテナの位置が異なる）の外観を示す斜視図である。図５において、図１と同じ部分には、同じ参照符号を付してある。
【００４８】
図５の携帯電話機１の主要な構成は、図１と同じである。ただし、図１では、アンテナ部７が上側筐体２に固定されているのに対し、図５では、アンテナ部７が下側筐体３に固定されている点で異なる。
【００４９】
図５の携帯電話機の場合、アンテナ部７は下側筐体３の回転軸４側の一端に固定されている。閉状態（筐体が折り畳まれた状態）において、接続部９ａ、９ｂが接触し、第１および第２の回路基板５、６に形成されたグランド同士が電気的に接続されている。したがって、アンテナが接続されている第２の回路基板６の一端側へ、第１の回路基板５と第２の回路基板６の他端側から、同方向かつ均等に高周波電流が流れる。これにより、図４に示されるように、第１の回路基板５および第２の回路基板６のいずれにも均等な電流分布を得ることができ、アンテナ特性およびＳＡＲ特性の改善を図ることができる。
【００５０】
（第２の実施形態）
図６は、本発明の第２の実施形態にかかる折り畳み式の携帯電話機の外観を示す斜視図である。図６において、図１と同じ部分には、同一の参照符号を付してある。
【００５１】
図６の携帯電話機の主要な構成は、図１とほぼ同様である。但し、図６の場合、第１の回路基板５および第２の回路基板６（図７参照）とを、電磁結合または電界結合でもって接続しており、この点、図１の構造（図１では、導電材料からなる突起の物理的な接触により電気的な接続を実現している）とは異なる。
【００５２】
図６に示されるように、上側筐体２の、レシーバ１２の横に、電磁結合または電界結合のための接続部（具体的にはコイル）９ｃが設けられている。
【００５３】
同様に、下側筐体３の、スピーカ１３の横に、電磁結合または電界結合のための接続部（具体的にはコイル）９ｄが設けられている。
【００５４】
図７は、図６の折り畳み式の携帯電話機の断面図である。
【００５５】
図７に示される断面構造は、接続部９ｃ，９ｄの構造を除いて、第１の実施形態の携帯電話機の断面構造（図２）と同じである。
【００５６】
接続部９ｃ，９ｄは、第１の回路基板５および第２の回路基板６のそれぞれ平面長手方向の前記回転軸部４の他方の一端よりに形成され、携帯電話機１を回転軸部（連結部）４を中心に折り畳んだ際、接続部９ｃ，９ｄが電磁結合または電界結合するように構成されている。
【００５７】
接続部９ｃ，９ｄは導電性材料からなるコイル（インダクタ）であり、第１の回路基板５および第２の回路基板６のグランド（ＧＮＤ）を、電磁気的に結合する構造である。
【００５８】
以上のように構成された折り畳み式の携帯電話機１が折り畳まれたときに（すなわち、閉状態時において）、対向する位置に設けられた接続部９ｃ，９ｄが電磁結合または電界結合（高周波結合）し、これによって、高周波電流が流れる閉ループが形成される。したがって、第１の実施形態と同様の効果を得ることができる。
【００５９】
さらに、物理的な接続と異なり、接続部９ｃ，９ｄを上側筐体２および下側筐体３から突出させる必要がなく（すなわち、接続部９ｃ，９ｄを各筐体２，３に埋設することができ）、したがって、レイアウト上、有利であるという効果も得られる。
【００６０】
図８は、本実施の形態にかかる折り畳み式の携帯電話機の変形例（アンテナの位置が異なる）の外観を示す斜視図である。図８において、図１と同じ部分には、同じ参照符号を付してある。
【００６１】
図８の携帯電話機１の主要な構成は、図５に示される携帯電話機と同じである。ただし、図５では、アンテナ部７が上側筐体２に固定されているのに対し、図８では、アンテナ部７が下側筐体３に固定されている点で異なる。
【００６２】
図８の携帯電話機１でも、図２で説明したとおりの、高周波電流を流す閉ループ構造が形成され、第１および第２の回路基板５，６において、同一方向かつ均等に高周波電流を流すことができる。これにより、アンテナ特性およびＳＡＲ特性の改善を図ることができる。
【００６３】
図８の携帯電話機の場合、アンテナ部７は下側筐体３の回転軸４側の一端に固定されている。閉状態（筐体が折り畳まれた状態）において、接続部９ａ、９ｂが接触し、第１および第２の回路基板５、６に形成されたグランド同士が電気的に接続されている。したがって、アンテナが接続されている第２の回路基板６の一端側へ、第１の回路基板５と第２の回路基板６の他端側から、同方向かつ均等に高周波電流が流れる。これにより、図４に示されるように、第１の回路基板５および第２の回路基板６のいずれにも均等な電流分布を得ることができ、アンテナ特性およびＳＡＲ特性の改善を図ることができる。
【００６４】
以上、本発明の実施形態について説明したが、本発明は、これに限定されるものではなく、種々、変形が可能である。
【００６５】
すなわち、前掲の実施形態では、折り畳み式の携帯電話機を例にとって説明したが、本発明は、スライド式および回動式の携帯電話機にも適用可能である。その構造も、２軸構造またはスライドの接点構造等のように、種々の構造を採用することができる。
【００６６】
図９は、回動式の携帯電話機の一例の外観を示す斜視図である。図９において、図１および図６と同じ部分には同じ参照符号を付してある。
【００６７】
図９の携帯電話機は、回転軸部４を中心として上側筐体２が、下側筐体３に対して回動する。アンテナ部７は、上側筐体２に固定されている。
【００６８】
上側筐体２の裏面に、導電性材料からなる突起９ｅ（接続部）が設けられており、上側筐体２が回動して閉状態となると、突起９ｅ（接続部）が、下側筐体３に設けられている導電性材料からなる突起９ｆ（接続部）と接触し、図２に示されるのと同様の状態となる。
【００６９】
図１０は、回動式の携帯電話機の他の例の外観を示す図である。
【００７０】
主要な構成は、図９の携帯電話機と同じであるが、図１０の場合、アンテナ部７が、下側筐体３に固定されている点で異なる。
【００７１】
なお、図９、図１０において、接続部は導電性の突起９ｅ，９ｆで形成されているが、図６，図８の例のように、電磁的、電界的な結合のための接続部（インダクタ）を用いることもできる。
【００７２】
本発明は、各種の無線通信装置に幅広く利用することができる。例えば、携帯電話機のような通信を主目的とするもの以外に、通信機能をもつＰＤＡのような携帯電子機器にも適用可能である。
【００７３】
また、無線ネットワーク等を介してデータのダウンロードが可能な携帯ゲーム機器などにも利用可能である。
【００７４】
また、本発明は、種々、変形することができる。例えば、物理的に接触するタイプの接続部を用いる場合でも、接続部は、必ずしも突起状に加工する必要はなく、各接続部が接触可能な構成であればよい。
【００７５】
また、上述の説明では、接続部は、各筐体の平面長手方向一端の中央に形成される例を示したが、その他の位置に接続部を設けてもよい。
【００７６】
また、上述の説明では、接続部としての突起やコイルは、第１の回路基板および第２の回路基板の各々に１個設けているが、これに限定されるものではなく、複数個設けることができ、また、一方の回路基板に対しては１個の接続部を設け、他方の回路基板に対しては複数の接続部を設け、１：複数の接続を採ることもできる。
【００７７】
このような柔軟なレイアウトは、高周波電流の特定の箇所への集中を防止する点で有効である場合があり、このことは、不要な放射を効果的に抑制することにもつながる。
【００７８】
また、上述の説明では、アンテナ部７は、第１の回路基板または第２の回路基板の一端よりの所定の位置で接続され、上側筐体または下側筐体の外部で固定される構造を例にとっているが、その他の位置でも同様に実施可能であり、また、アンテナ部を、上側筐体または下側筐体の内部で形成することも同様に可能である。
【００７９】
また、上述の例では、レシーバおよびマイクはそれぞれ接続部に近接して設置されているが、接続部と一体化した構造、あるいは、接続部と離れた位置に形成した構造も採用することができる。
【００８０】
本発明は、アンテナ特性を向上する必要がある、あるいは、ＳＡＲ特性を改善する必要がある、開閉式無線通信装置に広く利用可能である。
【００８１】
以上説明したように本発明によれば、システムの複雑化を生じさせることなく、レイアウトが容易な簡易な構造を利用して、例えば、折り畳み式の携帯電話機等の開閉式無線通信装置のアンテナ特性およびＳＡＲ特性の改善を図ることができる。また、導電性材料からなる突起を各筐体に設けることで、接続部を簡単に形成することができ、レイアウト設計上も有利である。また、電磁結合や電界結合により回路基板間の電気的な接続をとるタイプの接続部を設ける場合には、接続部を各筐体に埋設して設けることができ、筐体の設計上、有利である。
【産業上の利用可能性】
【００８２】
本発明は、簡易な構造を利用してアンテナ特性およびＳＡＲ特性の改善を図ることができ、したがって、開閉式無線通信装置に広く利用可能である。
【図面の簡単な説明】
【００８３】
【図１】本発明の第１の実施形態にかかる折り畳み式の携帯電話機の外観を示す斜視図
【図２】図１に示される携帯電話機の、閉状態における断面図
【図３】図１に示される携帯電話機の、閉状態における高周波電流の流れを説明するための図
【図４】本発明の第１の実施形態にかかる携帯電話機の、閉状態における、高周波電流の分布を示す図
【図５】本発明の第１の実施形態にかかる折り畳み式の携帯電話機の、変形例の外観を示す斜視図
【図６】本発明の第２の実施形態にかかる折り畳み式の携帯電話機の外観を示す斜視図
【図７】図６の折り畳み式の携帯電話機の、閉状態における断面図
【図８】本発明の第２の実施形態にかかる折り畳み式の携帯電話機の、変形例の外観を示す斜視図
【図９】本発明を適用した、回動式の携帯電話機の一例の外観を示す斜視図
【図１０】本発明を適用した、回動式の携帯電話機の他の例の外観を示す斜視図
【図１１】一般的な折り畳み式の携帯電話機の外観を示す斜視図
【図１２】図１１の折り畳み式の携帯電話機の開状態における、Ａ−Ａ’線に沿う断面図
【図１３】図１１の折り畳み式の携帯電話機の閉状態における、Ａ−Ａ’線に沿う断面図
【図１４】折り畳み式携帯電話機の開状態における電流分布を示す図
【図１５】折り畳み式携帯電話機の閉状態における電流分布を示す図
【符号の説明】
【００８４】
１  折り畳み式携帯電話機
２  上側筐体
３  下側筐体
４  回転軸部（連結部）
５  第１の回路基板
６  第２の回路基板
７  アンテナ部
８  フレキシブルプリント基板部
９（９ａ〜９ｆ）  接続部
１０  表示部
１２  レシーバ
１３  マイク
【図１】
2005192055.tif 000003
【図２】
2005192055.tif 000004
【図３】
2005192055.tif 000005
【図４】
2005192055.tif 000006
【図５】
2005192055.tif 000007
【図６】
2005192055.tif 000008
【図７】
2005192055.tif 000009
【図８】
2005192055.tif 000010
【図９】
2005192055.tif 000011
【図１０】
2005192055.tif 000012
【図１１】
2005192055.tif 000013
【図１２】
2005192055.tif 000014
【図１３】
2005192055.tif 000015
【図１４】
2005192055.tif 000016
【図１５】
2005192055.tif 000017